(57)【要約】【課題】内かごガイドレールの芯出し作業を容易化すること。【解決手段】外かご枠ガイドレール１０と上かごガイドレール３０Ａ（内かごガイドレール）または下かごガイドレール３０Ｂ（内かごガイドレール）との間に配置され、上かごガイドレール３０Ａまたは下かごガイドレール３０Ｂから外かご枠ガイドレール１０までの間隔寸法が規定寸法よりも短くなることを、外かご枠ガイドレール１０に当接することにより規制する間隔保持体７０と、間隔保持体７０を上かごガイドレール３０Ａまたは下かごガイドレール３０Ｂに固定するレールクリップ１００とを有する。【選択図】図４
2014213975.tif 000002
【特許請求の範囲】
【請求項１】
昇降路内を昇降する外かご枠と、この外かご枠の昇降をガイドする外かご枠ガイドレールと、前記外かご枠内に位置し、その外かご枠に対して上下方向に移動可能に設けられた内かごと、前記外かご枠に設けられ、その外かご枠に対する前記内かごの移動をガイドする内かごガイドレールとを有するダブルデッキエレベータを建物に据え付ける作業において、前記外かご枠ガイドレールから前記内かごガイドレールまでの間隔寸法を規定寸法に調整する内かごガイドレールの芯出し作業を行う際に使用されるダブルデッキエレベータの内かごガイドレールの芯出し雇であって、
前記外かご枠ガイドレールと前記内かごガイドレールとの間に配置され、前記外かご枠ガイドレールから前記内かごガイドレールまでの間隔寸法が前記規定寸法よりも短くなることを規制する間隔保持体と、前記間隔保持体を前記内かごガイドレールに固定する固定具とを有する
ことを特徴とするダブルデッキエレベータの内かごガイドレールの芯出し雇。
【請求項２】
請求項１に記載のダブルデッキエレベータの内かごガイドレールの芯出し雇において、
前記間隔保持体は、
前記内かごガイドレールに当接して配置される第１当接部材と、
前記外かご枠ガイドレールに当接して配置される第２当接部材と、
前記内かごガイドレールに対する前記第１当接部材の当接箇所から、前記外かご枠ガイドレールに対する前記第２当接部材の当接箇所までの間隔寸法を調節可能に、前記第１当接部材に対して前記第２当接部材を取り付ける取付構造とを有する
ことを特徴とするダブルデッキエレベータの内かごガイドレールの芯出し雇。
【請求項３】
請求項１または２に記載の芯出し雇を用いたダブルデッキエレベータの内かごガイドレールの芯出し方法であって、
前記外かご枠の所定部位に仮固定された前記内かごガイドレールに前記間隔保持体を前記固定具により固定する工程と、
前記昇降路に設けられた前記外かご枠ガイドレールに対して前記間隔保持体を当接させた状態を保持して、前記内かごガイドレールを前記外かご枠の所定部位に本固定する工程とを含む
ことを特徴とするダブルデッキエレベータの内かごガイドレールの芯出し方法。
【請求項４】
請求項２記載の芯出し雇を用いたダブルデッキエレベータの内かごガイドレールの芯出し方法において、
前記内かごガイドレールに対する前記第１当接部材の当接箇所から、前記外かご枠ガイドレールに対する前記第２当接部材の当接箇所までの間隔寸法を、前記規定寸法に調整する工程と、
前記外かご枠の所定部位に仮固定された前記内かごガイドレールに前記間隔保持体を前記固定具により固定する工程と、
前記昇降路に設けられた前記外かご枠ガイドレールに対して前記間隔保持体を当接させた状態を保持して、前記内かごガイドレールを前記外かご枠の所定部位に本固定する工程とを含む
ことを特徴とするダブルデッキエレベータの内かごガイドレールの芯出し方法。
【発明の詳細な説明】
【技術分野】
【０００１】
本発明は、昇降路内を昇降する外かご枠内に内かごが上下方向に移動可能に設けられたダブルデッキエレベータに適用され、外かご枠に対する内かごの上下方向の移動をガイドする内かごガイドレールを外かご枠に取り付ける際に用いられるダブルデッキエレベータの内かごガイドレールの芯出し雇および芯出し方法に関する。
【背景技術】
【０００２】
特許文献１には、エレベータの縦枠芯出し治具が開示されている。この治具は、昇降路の内壁面に固定されたガイドレール（外かご枠ガイドレール）に対して、乗かごの縦枠（外かご枠における縦枠）の芯出しを行う際に使用されるものである。
【先行技術文献】
【特許文献】
【０００３】
【特許文献１】特開２００８−０３７５１３号公報
【発明の概要】
【発明が解決しようとする課題】
【０００４】
外かご枠の縦枠には、内かごの上下方向の移動をガイドする内かごガイドレールが固定される。内かごガイドレールに対しても芯出しが行われる。従来、内かごガイドレールの芯出し作業は、外枠ガイドレールから内かごガイドレールまでの間隔寸法が、適切な間隔寸法として規定された規定寸法となるように、その間隔寸法を計測しながら内かごガイドレールの位置を調整する作業であり、煩雑な作業であった。
【０００５】
本発明は前述の事情を考慮してなされたものであり、その目的は、内かごガイドレールの芯出し作業を容易化できるダブルデッキエレベータの内かごガイドレールの芯出し雇および芯出し方法を提供することにある。
【課題を解決するための手段】
【０００６】
前述の目的を達成するために、本発明に係るダブルデッキエレベータの内かごガイドレールの芯出し雇および芯出し方法は次のように構成されている。
【０００７】
本発明に係るダブルデッキエレベータの内かごガイドレールの芯出し雇は、昇降路内を昇降する外かご枠と、この外かご枠の昇降をガイドする外かご枠ガイドレールと、前記外かご枠内に位置し、その外かご枠に対して上下方向に移動可能に設けられた内かごと、前記外かご枠に設けられ、その外かご枠に対する前記内かごの移動をガイドする内かごガイドレールとを有するダブルデッキエレベータを建物に据え付ける作業において、前記外かご枠ガイドレールから前記内かごガイドレールまでの間隔寸法を規定寸法に調整する内かごガイドレールの芯出し作業を行う際に使用されるダブルデッキエレベータの内かごガイドレールの芯出し雇であって、前記外かご枠ガイドレールと前記内かごガイドレールとの間に配置され、前記外かご枠ガイドレールから前記内かごガイドレールまでの間隔寸法が前記規定寸法よりも短くなることを規制する間隔保持体と、前記間隔保持体を前記内かごガイドレールに固定する固定具とを有することを特徴とする。
【０００８】
本発明に係るダブルデッキエレベータの内かごガイドレールの芯出し方法は、前述の本発明に係る芯出し雇を用いたダブルデッキエレベータの内かごガイドレールの芯出し方法であって、前記外かご枠の所定部位に仮固定された前記内かごガイドレールに前記間隔保持体を前記固定具により固定する工程と、前記昇降路に設けられた前記外かご枠ガイドレールに対して前記間隔保持体を当接させた状態を保持して、前記内かごガイドレールを前記外かご枠の所定部位に本固定する工程とを含むことを特徴とする。
【発明の効果】
【０００９】
本発明に係るダブルデッキエレベータの内かごガイドレールの芯出し雇および芯出し方法は、外枠ガイドレールから内かごガイドレールまでの間隔寸法を計測することを作業員に省かせることができ、これによって、内かごガイドレールの芯出し作業を容易化できる。
【図面の簡単な説明】
【００１０】
【図１】本発明の一実施形態に係るダブルデッキエレベータの内かごガイドレールの芯出し雇および芯出し方法が適用されるダブルデッキエレベータの外かご枠およびその周辺を示す図である。
【図２】図１に示した外かご枠の縦枠および内かごガイドレールを昇降路内に設ける様子を示す図である。
【図３】本発明の一実施形態に係る芯出し雇の斜視図である。
【図４】図３に示した芯出し雇が内かごガイドレールに固定された状態を示す図である。
【図５】図４に示した状態の上面図である。
【図６】本発明の一実施形態に係る芯出し方法を示すフローチャートである。
【発明を実施するための形態】
【００１１】
以下に、本発明の一実施形態に係るダブルデッキエレベータの内かごガイドレールの芯出し雇および芯出し方法について図１〜図６を用いて説明する。
【００１２】
本実施形態が適用されるダブルデッキエレベータ１は、一般的に高層ビルに据え付けられるものであり、昇降路（図示してない）の省スペース化と輸送能力向上を図るために、図１に示すように、１つの昇降路内において一体的に昇降する２台のかご、すなわち上かご２（内かご）と下かご３（内かご）とを有する。
【００１３】
上かご２と下かご３は昇降路内において上下方向に並んで位置するとともに、外かご枠４の内側に位置する。外かご枠４は上かご２および下かご３を、かごドア２ａ，３ａ側を前面側とした場合における左側方および右側方と、上方および下方との４方から包囲している。この外かご枠４は、左右方向において対向して対を成す２個の縦枠５と、２個の縦枠５の上端部間に架け渡された上梁（図示してない）と、２個の縦枠５の中間部間に架け渡された中間梁６と、２個の縦枠５の下端部間に架け渡された下梁７とを有する。上かご２は上梁と中間梁６との間に位置し、下かご３は中間梁６と下梁７との間に位置する。
【００１４】
外かご枠４は、上かご２および下かご３と一体的に昇降路内を昇降する。ダブルデッキエレベータ１は、昇降路内での外かご枠４の昇降をガイドする構造として、昇降路の右側壁および左側壁のそれぞれに上下方向に延びて設けられ、対を成す２条の外かご枠ガイドレール１０と、外かご枠４の右上部、左上部、右下部、左下部のそれぞれに設けられて外かご枠ガイドレール１０に対し当接して位置する４個の外かご枠ガイドローラ装置１４とを有する。なお、下側の外枠ガイドローラ装置の図示は省略した。
【００１５】
外かご枠ガイドレール１０は、図４，図５に示すように、昇降路内の側壁に添え当てられた状態で固定されるフランジ部１１と、このフランジ部１１から突出したガイド部１２とを有する。昇降路内において、２条の外かご枠ガイドレール１０は互いにガイド部１２を向い合せて位置する。
【００１６】
右側の外かご枠ガイドローラ装置１４は、右側の外かご枠ガイドレール１０のガイド部１２に対して前方と後方と左方の３方のそれぞれの方向から当接して位置する３個のローラを有する。左側の外かご枠ガイドローラ装置１４は、左側の外かご枠ガイドレール１０のガイド部１２に対して前方と後方と右方の３方のそれぞれの方向から当接して位置する３個のローラを有する。
【００１７】
ビルの内部構造は様々であり、連続する階床間の垂直寸法、すなわち階高が一定でないものがある。この内部構造に対応するために、上かご２と下かご３は外かご枠４に対して上下方向に移動可能に設けられている。つまり、上かご２と下かご３の上下方向における間隔は、階高に応じて調整可能になっている。
【００１８】
上かご２と下かご３は外かご枠４内においてロープ（図示してない）で吊られていて、外かご枠４の上部にはロープの巻上機２０が設けられている。この巻上機２０が階高に応じて制御されることによって、上かご２と下かご３の間隔が調整されることになる。
【００１９】
ダブルデッキエレベータ１は、外かご枠４内での上かご２および下かご３の上下方向への移動をガイドする構造として、外かご枠４における１対の縦枠５のそれぞれの上側半分の範囲内に上下方向に延びて設けられて対を成す２条の上かごガイドレール３０Ａ（内かごガイドレール）と、同じく１対の縦枠５のそれぞれの下側半分の範囲内に上下方向に延びて設けられて対を成す下かごガイドレール３０Ｂ（内かごガイドレール）と、上かご２の右上部、左上部、右下部、左下部のそれぞれに設けられて上かごガイドレール３０Ａに当接して位置する４個の上かごガイドローラ装置（図示してない）と、下かご３の右上部、左上部、右下部、左下部のそれぞれに設けられて下かごガイドレール３０Ｂに当接して位置する下かごガイドローラ装置（図示してない）とを有する。
【００２０】
上かごガイドレール３０Ａおよび下かごガイドレール３０Ｂは、図４，図５に示すように、縦枠５に固定されるフランジ部３１と、このフランジ部３１から突出したガイド部３２とを有する。外かご枠４の内側において、２条の上かごガイドレール３０Ａも２条の下かごガイドレール３０Ｂも、互いにガイド部３２を向い合せて位置する。
【００２１】
右側の上かごガイドローラ装置は、右側の上かごガイドレール３０Ａのガイド部３２に対して前方と後方と左方の３方のそれぞれの方向から当接して位置する３個のローラを有する。右側の下かごガイドローラ装置は、右側の下かごガイドレール３０Ｂのガイド部３２に対して前方と後方と左方の３方のそれぞれの方向から当接して位置する３個のローラを有する。左側の上かごガイドローラ装置は、左側の上かごガイドレール３０Ａに対して前方と後方と右方の３方のそれぞれの方向から当接して位置する３個のローラを有する。左側の下かごガイドローラ装置は、左側の下かごガイドレール３０Ｂに対して前方と後方と右方の３方のそれぞれの方向から当接して位置する３個のローラを有する。
【００２２】
このように構成されたダブルデッキエレベータ１を建物に据え付ける据付作業においては、次のことが行われる。
【００２３】
作業員は、縦枠５、上かごガイドレール３０Ａおよび下かごガイドレール３０Ｂを昇降路内に設ける前に、図２に示すように外かご枠ガイドレール１０を取り付け、次に昇降路の底部２００に２本の四角支柱２０１を立設し、それらの四角支柱２０１の上部に外かご枠４の下梁７を載置して固定する。
【００２４】
前述のように下梁７を設けた後、作業員は、縦枠５、上かごガイドレール３０Ａおよび下かごガイドレール３０Ｂを昇降路内に設ける。この際、中間梁６の近傍から上側に位置する縦枠５の部分を成す縦枠上部４１に、上かごガイドレール３０Ａが仮固定されて成る組物４０と、縦枠上部４１よりも下側の縦枠５の部分を成す縦枠下部５１に、下かごガイドレール３０Ｂが仮固定されて成る組物５０とを、下側の組物５０、上側の組物４０の順番で昇降路内に運び入れる。
【００２５】
作業員は、下側の組物５０を運び入れた段階で、この組物５０における縦枠下部５１の下端部を下梁７に結合する。次に、作業員は、下側の組物５０における下かごガイドレール３０Ｂの下部に内かご固定治具２０３を取り付け、この内かご固定治具２０３を用いて、その下かごガイドレール３０Ｂの下部に下かご３の床３ｂを固定する。
【００２６】
その後、作業員は、上側の組物４０を昇降路内に運び入れ、昇降路内をゴンドラ２０２に乗って昇降しながら、その組物４０における縦枠上部４１を下側の組物５０における縦枠下部５１に連結する。
【００２７】
このようにして組物４０，５０を昇降路内に設けた後、作業者は、下かごガイドレール３０Ｂに対する芯出しを行ってから、下側の組物５０における縦枠下部５１に対して下かごガイドレール３０Ｂを本固定し、上かごガイドレール３０Ａに対する芯出しを行ってから、上側の組物４０における縦枠上部４１に対して上かごガイドレール３０Ａを本固定する。ここで、下かごガイドレール３０Ｂに対する芯出しとは、外かご枠ガイドレール１０から下かごガイドレール３０Ｂまでの間隔寸法を、適切な間隔寸法として規定された規定寸法に調整することであり、上かごガイドレール３０Ａに対する芯出しとは、外かご枠ガイドレール１０から上かごガイドレール３０Ａまでの間隔寸法を、同じく規定寸法に調整することである。
【００２８】
上かごガイドレール３０Ａおよび下かごガイドレール３０Ｂの芯出し作業の際に、本実施形態に係る芯出し雇、すなわち、図２〜図５に示す芯出し雇６０が用いられる。
【００２９】
芯出し雇６０は、上かごガイドレール３０Ａまたは下かごガイドレール３０Ｂから外かご枠ガイドレール１０までの間隔寸法が規定寸法よりも短くなることを規制する間隔保持体７０と、この間隔保持体７０を上かごガイドレール３０Ａまたは下かごガイドレール３０Ｂに装着するための固定具である２個のレールクリップ１００とを有する。
【００３０】
間隔保持体７０は、外かご枠ガイドレール１０と上かごガイドレール３０Ａとの間に配置されたり、外かご枠ガイドレール１０と下かごガイドレール３０Ｂとの間に配置されたりするものであり、上かごガイドレール３０Ａまたは下かごガイドレール３０Ｂに当接して配置される第１当接部材８０と、この第１当接部材８０に取り付けられ、外かご枠ガイドレール１０に当接して配置される第２当接部材９０とを有する。
【００３１】
第１当接部材８０は平板状の部材であり、上かごガイドレール３０Ａまたは下かごガイドレール３０Ｂの表面であるガイド部３２側の面とは反対側の裏面３０ａ、すなわち外かご枠ガイドレール１０に対向する面に添え当てられる平面８０ａを表面として有する。この第１当接部材８０は、平面８０ａを上かごガイドレール３０Ａまたは下かごガイドレール３０Ｂの裏面３０ａに添え当てられた状態で、２個のレールクリップ１００によってフランジ部３１に固定される。
【００３２】
第１当接部材８０には、ボルト１０１が挿通される２個の貫通孔（図示してない）が設けられている。２個のレールクリップ１００はそれぞれ、第１当接部材８０の貫通孔に挿通されるボルト１０１と、第１当接部材８０の裏面８０ｂ側においてボルト１０１に螺合するナット１０２とによって、第１当接部材８０に取り付けられている。これらの２個のレールクリップ１００は上かごガイドレール３０Ａまたは下かごガイドレール３０Ｂに対して、そのガイドレールの幅方向（前後方向）においてフランジ部３１を挟んで配置されるものであり、第１当接部材８０の平面８０ａとの間でフランジ部３１を挟持する挟持片１００ａを有する。
【００３３】
第１当接部材８０における平面８０ａ（表面）側と反対側の裏面８０ｂには、２個の取付部８３が突出して設けられている。これらの取付部８３は板状であり、第１当接部材８０が上かごガイドレール３０Ａまたは下かごガイドレール３０Ｂのフランジ部３１に対し２個のレールクリップ１００により取り付けられた状態において、そのガイドレールの幅方向に広がった姿勢を成すとともに、その幅方向に並んで位置する。
【００３４】
第２当接部材９０は矩形の平板から成り、２個の取付部８３間に架け渡された状態で、それらの取付部８３に取り付けられる。第２当接部材９０の一辺９０ａは、取付部８３の突端８３ａよりも第１当接部材８０から離れて配置される。上かごガイドレール３０Ａまたは下かごガイドレール３０Ｂの芯出し作業の際、第２当接部材９０の一辺９０ａは、外かご枠ガイドレール１０のガイド部１２の突端１２ａに当接して配置される。
【００３５】
第２当接部材９０において、２個の取付部８３のそれぞれに取り付けられる箇所には、ボルト８４が挿通される丸孔（図示してない）が貫通して設けられている。
【００３６】
取付部８３において、第２当接部材９０が取り付けられる箇所には、第２当接部材９０の丸孔に挿通されたボルト８４が挿通される長孔８３ｂが貫通して設けられている。長孔８３ｂは、第１当接部材８０の平面８０ａ（表面）に直交する方向に長く形成されている。ボルト８４は、第２当接部材９０の丸孔と取付部８３の長孔８３ｂに挿通されて第２当接部材９０と取付部８３とを貫通して位置し、ナット（図示しない）に螺合している。つまり、長孔８３ｂを含む２個の取付部８３と、第２当接部材の２個の丸孔と、２個のボルト８４と、２個のナットとは、上かごガイドレール３０Ａまたは下かごガイドレール３０Ｂに対する第１当接部材８０の当接箇所である平面８０ａ（表面）から外かご枠ガイドレール１０に対する第２当接部材９０の当接箇所である一辺９０ａまでの間隔寸法を調節可能に、第１当接部材８０に対して第２当接部材９０を取り付ける取付構造を構成している。
【００３７】
本実施形態に係る芯出し方法を採用した上かごガイドレール３０Ａの芯出し作業について図６を用いて説明する。
【００３８】
工程Ｓ１において作業員は、上かごガイドレール３０Ａ（内かごガイドレール）に対する第１当接部材８０の当接箇所（平面８０ａ）から、外かご枠ガイドレール１０に対する第２当接部材９０の当接箇所（１辺９０ａ）までの間隔寸法を、規定寸法に調整する。つまり、芯出し雇６０における２個のボルト８４を緩め、２個の取付部８３に対する第２当接部材９０の取付位置をずらすことによって、第１当接部材８０の平面８０ａ（表面）から第２当接部材９０の一辺９０ａまでの間隔寸法を、外かご枠ガイドレール１０のガイド部１２から上かごガイドレール３０Ａの裏面３０ａまでの適切な間隔寸法として規定された規定寸法に調節した後、２個のボルト８４を締めて第２当接部材９０を２個の取付部８３に固定する。
【００３９】
次に、工程Ｓ２において作業員は、縦枠上部４１に仮固定された上かごガイドレール３０Ａに対して間隔保持体７０をレールクリップ１００により固定する。つまり、間隔保持体７０を外かご枠ガイドレール１０と上かごガイドレール３０Ａとの間に配置し、上かごガイドレール３０Ａの裏面３０ａに第１当接部材８０の平面８０ａ（表面）を添え当てた状態を保持しながら、２個のレールクリップ１００により第１当接部材８０をフランジ部３１に固定する。作業員は、ステップＳ２の作業を、必要に応じて上かごガイドレール３０Ａの複数個所に対して行う。
【００４０】
次に、工程Ｓ３において作業員は、外かご枠ガイドレール１０に対して間隔保持体７０を当接させた状態を保持して、上かごガイドレール３０Ａを縦枠上部４１に本固定する。つまり、間隔保持体７０における第２当接部材９０の一辺９０ａを外かご枠ガイドレール１０のガイド部１２の突端１２ａに当接させた状態を保持しながら、外かご枠４の縦枠上部４１に上かごガイドレール３０Ａを本固定する。なお、縦枠上部４１は、本発明における外かご枠の所定部位に相当する。
【００４１】
作業者は、下かごガイドレール３０Ｂに対する芯出し作業も、前述した上かごガイドレール３０Ａに対する芯出し作業と同様にして行う。なお、作業の開始時において、下かごガイドレール３０Ｂは縦枠下部５１に仮固定されている。その縦枠下部５１は、本発明における外かご枠の所定部位に相当する。
【００４２】
上かごガイドレール３０Ａおよび下かごガイドレール３０Ｂからの芯出し雇６０の取外し作業は、次のようにして行われる。
【００４３】
はじめに作業員は、２個のボルト１０１を緩めて、第２当接部材９０を外かご枠ガイドレール１０から離れる方向にずらす。次に、２個のレールクリップ１００の一方を第１当接部材８０に固定するボルト１０１およびナット１０２を、第１当接部材８０から取り除き、その一方のレールクリップ１００をフランジ部３１から取り外す。次に、他方のレールクリップ１００を緩めて芯出し雇６０全体を、その他方のレールクリップ１００からフランジ部３１が抜ける方向にずらす。これにより、作業員は、上かごガイドレール３０Ａまたは下かごガイドレール３０Ｂから芯出し雇６０を取り外すことができる。
【００４４】
本実施形態に係るダブルデッキエレベータの内かごガイドレールの芯出し雇６０および芯出し方法によれば、次の効果を得られる。
【００４５】
本実施形態に係る芯出し雇６０および芯出し方法を採用した上かごガイドレール３０Ａおよび下かごガイドレール３０Ｂの芯出し作業において、作業員は、縦枠上部４１に仮固定された上かごガイドレール３０Ａに間隔保持体７０を２つのレールクリップ１００により固定し、昇降路に設けられた外かご枠ガイドレール１０に対して間隔保持体７０を当接させた状態を保持して、上かごガイドレール３０Ａを縦枠上部４１に本固定し、また、縦枠下部５１に仮固定された下かごガイドレール３０Ｂに間隔保持体７０を２つのレールクリップ１００により固定し、昇降路に設けられた外かご枠ガイドレール１０に対して間隔保持体７０を当接させた状態を保持して、下かごガイドレール３０Ｂを縦枠下部５１に本固定する。したがって、本実施形態に係る芯出し雇６０および芯出し方法は、外かご枠ガイドレール１０から上かごガイドレール３０Ａまでの間隔寸法を計測すること、および、外かご枠ガイドレール１０から上かごガイドレール３０Ａまでの間隔寸法を計測することを作業員に省かせることができ、これによって、上かごガイドレール３０Ａおよび下かごガイドレール３０Ｂの芯出し作業を容易化できる。
【００４６】
本実施形態に係る芯出し雇６０および芯出し方法を採用した上かごガイドレール３０Ａおよび下かごガイドレール３０Ｂの芯出し作業において、作業員は、上かごガイドレール３０Ａおよび下かごガイドレール３０Ｂに対する第１当接部材８０の当接箇所（平面８０ａ）から、外かご枠ガイドレール１０に対する第２当接部材９０の当接箇所（一辺９０ａ）までの間隔寸法を調節する。したがって、本実施形態に係る芯出し雇６０および芯出し方法は、外かご枠ガイドレール１０から上かごガイドレール３０Ａおよび下かごガイドレール３０Ｂまでの間隔寸法の規定寸法が異なる複数種類のダブルデッキエレベータに適応することができる。
【符号の説明】
【００４７】
１  ダブルデッキエレベータ
２  上かご（内かご）
３  下かご（内かご）
４  外かご枠
５  縦枠
１０  外かご枠ガイドレール
３０Ａ  上かごガイドレール（内かごガイドレール）
３０Ｂ  下かごガイドレール（内かごガイドレール）
４１  縦枠上部（外かご枠の所定部位）
５１  縦枠下部（外かご枠の所定部位）
６０  芯出し雇
７０  間隔保持体
８０  第１当接部材
８０ａ  平面（内かごガイドレールに対する第１当接部材の当接箇所）
８３  取付部（取付構造）
８３ｂ  長孔（取付構造）
８４  ボルト（取付構造）
９０  第２当接部材
９０ａ  一辺（外かご枠ガイドレールに対する第２当接部材の当接箇所）
１００  レールクリップ（固定具）
【図１】
2014213975.tif 000003
【図２】
2014213975.tif 000004
【図３】
2014213975.tif 000005
【図４】
2014213975.tif 000006
【図５】
2014213975.tif 000007
【図６】
2014213975.tif 000008